(57)【特許請求の範囲】
【請求項１】
第１の映像信号または第２の映像信号の入力を受け付け、前記第１の映像信号または、前記第２の映像信号を変換した第１の映像信号を表示部へ出力する映像信号処理装置において、
前記表示部へ出力される前記第１の映像信号の色成分を補正する補正回路と、
インターレース方式に係る前記第２の映像信号をプログレッシブ方式へ変換する変換回路と、
前記補正回路への前記第２の映像信号から変換される第１の映像信号の入力及び前記変換回路への前記第２の映像信号の非入力の設定を受け付ける受け付け手段と、
該受け付け手段により前記設定を受け付けた場合に、入力された前記第２の映像信号の出力先を前記変換回路から前記補正回路へ切り替える切り替え回路と、
該切り替え回路から出力された前記第２の映像信号を前記第１の映像信号へ変換して前記補正回路へ入力する信号変換回路と
を備え、
前記第１の映像信号はＲＧＢ信号であり、前記第２の映像信号はＹＵＶ信号であり、
前記補正回路は、該補正回路から出力される第１の映像信号を、前記変換回路を経由させず前記表示部へ出力するよう構成してある
ことを特徴とする映像信号処理装置。
【請求項２】
前記切り替え回路は、前記受け付け手段により前記設定を受け付けない場合に、入力された前記第２の映像信号を前記変換回路へ出力するよう構成してあり、
前記変換回路は、前記切り替え回路から出力された第２の映像信号を第１の映像信号に変換した後に、前記補正回路を経由させず前記表示部へ出力するよう構成してある
ことを特徴とする請求項１に記載の映像信号処理装置。
【発明の詳細な説明】
【技術分野】
【０００１】
本発明は、第１の映像信号または第２の映像信号の入力を受け付け、前記第１の映像信号または、前記第２の映像信号を変換した第１の映像信号を表示部へ出力する映像信号処理装置に関する。
【背景技術】
【０００２】
液晶ディスプレイまたはプラズマディスプレイ等のディスプレイ装置にはＤＶＤ（Digital Versatile Disc）プレーヤ、ＴＶチューナまたはパーソナルコンピュータ等、多様な装置が接続されると共に多種類の映像信号が入力される。ディスプレイ装置は映像信号の種類を判別し、最適な映像が得られるよう各種処理を行う映像信号処理装置を内蔵している。
【０００３】
映像信号には、多様な種類がある。例えば、走査方式には、飛び越し（インターレース）方式と順次（プログレッシブ）方式があり、また、走査線数には、米国や我国の採用するＮＴＳＣ（National Television System Committee）方式の５２５本の他に、ヨーロッパのＰＡＬ（Phase Alternating （by） Line）方式やＳＥＣＡＭ（SEquential Couleur A Memoire）方式の６２５本があり、またＨＤＴＶ（High Definition TeleVision）の映像信号の走査線数は、１１２５本である。このように多様な放送形式がとられているため、映像信号処理装置は、複数の映像信号を判別して、その信号に合わせた処理を行って表示する（例えば特許文献１参照）。
【０００４】
インターレース方式の信号が入力された場合、画面のちらつきを低減するために、当該信号をプログレッシブ方式へ変換する変換回路が利用されている。変換回路を経た信号は表示部に適した画総数へ変換するスケーラへ入力される。そして、スケーラから出力される信号は、ユーザの好みに応じて表示部に表示されるＲＧＢＣＭＹの各色を補正する補正回路へ入力された後、表示部へ出力される。
【特許文献１】特開２００３−２３４９７６号公報
【発明の開示】
【発明が解決しようとする課題】
【０００５】
しかしながら、特許文献１に記載の補正回路を設計上スケーラより上流側へ配置する場合、補正回路及び変換回路へ入力する信号経路が制約される場合があるという問題があった。すなわち、補正回路からの出力形式がＲＧＢに限定され、変換回路の入力がＹＵＶ形式に限定される場合があり、そのような時は変換回路にＹＵＶ信号が入力されてプログレッシブ方式へ変換される。ユーザによってはプログレッシブ変換された映像を表示することよりも、細かな色調整の補正を希望する場合もあり、従来の映像信号処理装置では、かかる要請に応えることはできなかった。
【０００６】
本発明は斯かる事情に鑑みてなされたものであり、その目的は、補正回路への第２の映像信号の入力及び変換回路への第２の映像信号の非入力の設定を受け付け、この設定を受け付けた場合に、入力された第２の映像信号の出力先を変換回路から補正回路へ切り替える切り替え回路を設けることにより、ユーザの好みによりプログレッシブ変換を無効として、表示される色の補正を自由に行うことが可能な映像信号処理装置を提供することにある。
【課題を解決するための手段】
【０００７】
本発明に係る映像信号処理装置は、第１の映像信号または第２の映像信号の入力を受け付け、前記第１の映像信号または、前記第２の映像信号を変換した第１の映像信号を表示部へ出力する映像信号処理装置において、前記表示部へ出力される前記第１の映像信号の色成分を補正する補正回路と、インターレース方式に係る前記第２の映像信号をプログレッシブ方式へ変換する変換回路と、前記補正回路への前記第２の映像信号から変換される第１の映像信号の入力及び前記変換回路への前記第２の映像信号の非入力の設定を受け付ける受け付け手段と、該受け付け手段により前記設定を受け付けた場合に、入力された前記第２の映像信号の出力先を前記変換回路から前記補正回路へ切り替える切り替え回路と、該切り替え回路から出力された前記第２の映像信号を前記第１の映像信号へ変換して前記補正回路へ入力する信号変換回路とを備え、前記第１の映像信号はＲＧＢ信号であり、前記第２の映像信号はＹＵＶ信号であり、前記補正回路は、該補正回路から出力される第１の映像信号を、前記変換回路を経由させず前記表示部へ出力するよう構成してあることを特徴とする。
【００１０】
本発明に係る映像信号処理装置は、前記切り替え回路は、前記受け付け手段により前記設定を受け付けない場合に、入力された前記第２の映像信号を前記変換回路へ出力するよう構成してあり、前記変換回路は、前記切り替え回路から出力された第２の映像信号を第１の映像信号に変換した後に、前記補正回路を経由させず前記表示部へ出力するよう構成してあることを特徴とする。
【００１２】
本発明にあっては、映像信号処理装置は、第１の映像信号または第２の映像信号の入力を受け付け、第１の映像信号または、第２の映像信号を変換した第１の映像信号を表示部へ出力する。映像信号処理装置は、表示部へ出力される第１の映像信号の色成分を補正する補正回路及びインターレース方式に係る第２の映像信号をプログレッシブ方式へ変換する変換回路を備える。映像信号処理装置は、補正回路への第２の映像信号の入力及び変換回路への第２の映像信号の非入力の設定を受け付ける。この第１の映像信号は例えばＲＧＢ信号であり、第２の映像信号はＹＵＶ信号である。そして、この設定を受け付けた場合、切り替え回路は、入力された第２の映像信号の出力先を変換回路から補正回路へ切り替えるので、ユーザの好みに応じて、第２の映像信号が変換回路ではなく補正回路へ出力される。
【００１３】
本発明にあっては、信号変換回路は切り替え回路から出力された第２の映像信号を第１の映像信号へ変換して補正回路へ入力するようにしたので、変換後の第１の映像信号が補正回路へ入力され、各色の色補正が可能となる。
【００１４】
本発明にあっては、補正回路は、補正回路から出力される第１の映像信号を、変換回路を経由させず表示部へ出力するので、プログレッシブ変換は無効とされる。
【００１５】
本発明にあっては、切り替え回路は、ユーザの設定を受け付けない場合、入力された第２の映像信号を変換回路へ出力する。そして変換回路は、切り替え回路から出力された第２の映像信号を、補正回路を経由させず表示部へ出力するので、補正回路による補正は無効とされ、プログレッシブ変換された映像信号が出力される。
【発明の効果】
【００１６】
本発明にあっては、映像信号処理装置は、補正回路への第２の映像信号の入力及び変換回路への第２の映像信号の非入力の設定を受け付ける。そして、この設定を受け付けた場合、切り替え回路は、入力された第２の映像信号の出力先を変換回路から補正回路へ切り替えるので、ユーザの好みに応じて、第２の映像信号が変換回路ではなく補正回路へ出力される。その結果、ユーザは自分の好みによりプログレッシブ変換を無効として、色の補正を実行することが可能となる。
【００１７】
本発明にあっては、信号変換回路は切り替え回路から出力された第２の映像信号を第１の映像信号へ変換して補正回路へ入力するようにしたので、変換後の第１の映像信号が補正回路へ入力され、各色の色補正が可能となる。
【００１８】
本発明にあっては、補正回路は、補正回路から出力される第１の映像信号を、変換回路を経由させず表示部へ出力するので、プログレッシブ変換は無効とされる。
【００１９】
本発明にあっては、切り替え回路は、ユーザの設定を受け付けない場合、入力された第２の映像信号を変換回路へ出力する。そして変換回路は、切り替え回路から出力された第２の映像信号を、補正回路を経由させず表示部へ出力するので、補正回路による補正は無効とされ、プログレッシブ変換された映像信号が出力される。このようにユーザの選択により補正を行わず、逆にプログレッシブ変換を行ってちらつきの少ない画像を容易に楽しむことが可能となる等、本発明は優れた効果を奏する。
【発明を実施するための最良の形態】
【００２０】
以下本発明の実施の形態を、図面を参照して説明する。図１は本発明に係る映像信号処理装置のハードウェア構成を示すブロック図である。図において１は映像信号処理装置であり、映像信号入力部１２、Ａ／Ｄ変換部１５、切り替え回路１９、ＣＰＵ(Central Processing Unit)１１、メモリ１１４、入力部１３、変換回路１１０、信号変換回路１１１、補正回路１１２、スケーラ１１３、表示部としての液晶パネル１４、同期分離部１６、モード判別部１７及びクロック生成部１８を含んで構成される。なお、以下では本発明に係る映像信号処理装置１を表示部としての液晶パネル１４を備える液晶ディスプレイ装置に適用する例を説明するが、プラズマディスプレイ装置またはプロジェクタ等他の表示装置に適用しても良い。
【００２１】
映像信号入力部１２には、映像信号を出力するＤＶＤプレーヤ、ハイビジョンＴＶチューナ、地上波アナログチューナ、またはパーソナルコンピュータ（いずれも図示せず）等が接続される。映像信号入力部１２には、第１信号であるＲＧＢ信号及び第２信号であるＹＵＶ信号が入力される。具体的には、データフォーマットがＲＧＢ４：４：４（２４ビット）のＲＧＢ信号が第１信号として入力される。また、データフォーマットがＹＵＶ４：４：４のＨＤＴＶ-１０８０ｉまたは７２０ｐ、及びＥＤＴＶ（Extended Definition TeleVision）-４８０ｐまたは５７６ｐが第２信号として入力される。なお、ｉはインターレース方式、ｐはプログレッシブ方式を示しｉまたはｐに付随する数字は走査線数を意味する。
【００２２】
また、データフォーマットがＹＵＶ４：２：２（１６ビット）のＳＤＴＶ-４８０ｉまたは５７６ｉ、及びＹＵＶ４：２：２のＮＴＳＣ信号またはＰＡＬ信号が第２信号として入力される。映像信号入力部１２は、Ａ／Ｄ変換部１５及び同期分離部１６に接続される。Ａ／Ｄ変換部１５では、アナログ／デジタル変換を行う。同期分離部１６は、映像信号から同期信号を分離するためのもので、分離された同期信号は、モード判別部１７及びクロック生成部１８に入力される。
【００２３】
モード判別部１７では、同期信号によって映像信号の種類を判別し、その判別結果を、インターレース方式からプログレッシブ方式へ変換する変換回路１１０及びスケーラ１１３へ出力する。具体的には同期分離部１６から垂直同期信号（以下、Ｖ−ＳＹＮＣ）と水平同期信号（以下、Ｈ−ＳＹＮＣ）がモード判別部１７へ入力される。クロック生成部１８は内部のクロック信号よってＨ−ＳＹＮＣの１周期をカウントする。これによりＨ−ＳＹＮＣの周波数を読み取る。さらにＶ−ＳＹＮＣをＨ−ＳＹＮＣでカウントすることによりＶ−ＳＹＮＣの周波数を読み取る。モード判別部１７は以上の処理により入力周波数を判別し入力モードを判定する。なお、モード判別部１７はさらに極性、及び、インターレース方式の信号かプログレッシブ方式の信号かにつき判別する。同期信号極性については水平同期信号及び垂直同期信号それぞれの極性により判別する。インターレース方式の信号かプログレッシブ方式の信号かについては、水平同期信号及び垂直同期信号それぞれのタイミングから判別する。
【００２４】
Ａ／Ｄ変換部１５でデジタル化されたＲＧＢ信号またはＹＵＶ信号は切り替え回路１９へ入力される。切り替え回路１９は、ユーザの入力部１３からの操作を受けてＣＰＵ１１の指示により、信号変換回路１１１を介した補正回路１１２へのＲＧＢ信号の出力、または変換回路１１０へのＹＵＶ信号の出力を択一的に切り替える回路である。なお、ＲＧＢ信号は補正回路１１２へ出力される。
【００２５】
図２は補正画面のイメージを示す説明図である。ユーザは入力部１３から図２に示す補正画面を閲覧しながら表示される色、色の濃さ及び彩度を設定することができる。この画面はＣＰＵ１１により、メモリ１１４から画面データが読み出されて、液晶パネル１４に表示されている。ＣＰＵ１１は操作ボタンまたはリモートコントローラ等の入力部１３から各種設定値を入力することができ、入力された値はメモリ１４に記憶される共に、補正後のデータが補正回路１１２へ出力される。図２に示すように、補正画面には「色」の補正、「色の濃さ」の補正及び「彩度」の補正をそれぞれ実行できるよう、補正対象項目２１「色」、「色の濃さ」及び「彩度」が表示されている。図２の例では補正対象項目２１の中から「色」が選択されている。
【００２６】
補正対象項目２１のうち「色」が入力部１３から選択された場合、図２に示す如くＲ（赤）、Ｙ（黄）、Ｇ（緑）、Ｃ（シアン）、Ｂ（青）、及びＭ（マゼンダ）各色を調整するための調整バー２２が表示される。ユーザは入力部１３を介して、調整バー２２を左右に操作して、各色の調整値を正方向または負方向へ適宜設定する。なお、ユーザがリセットボタン２３を、入力部１３を操作することにより入力した場合は、ＣＰＵ１１は全ての設定項目を初期設定値「０」へ変更する。
【００２７】
図３は設定画面のイメージを示す説明図である。映像信号処理装置１は画像モード、ランプセッティング、プログレッシブ変換または色補正等の各種設定の変更が可能であり、ユーザの入力部１３からの操作により、ＣＰＵ１１はメモリ１１４から図３に示す画面を読み出し液晶パネル１４へ出力する。図３に示す設定画面においては映像信号入力部１２を構成する複数の入力端子（図示せず）のうち、入力端子５から入力されるＹＵＶ信号に対する設定状況を示している。設定ボックス３１は、インターレース方式で入力されたＹＵＶ信号をプログレッシブ方式へ変換するか否かを選択するものである。設定ボックス３１でオンが選択された場合、図１における切り替え回路１９はＹＵＶ信号を変換回路１０へ出力し、補正回路１１２を経由させることなくスケーラ１１３を介して信号を液晶パネル１４へ出力する。
【００２８】
図３の画面において設定ボックス３１でプログレッシブ変換につきオンが選択された場合、色補正を行うか否かを選択する設定ボックス３２は設定ボックス３１とは逆にオフとなるようＣＰＵ１１は制御する。ユーザが入力部１３からプログレッシブ変換の設定ボックス３１をオフとした場合、ＣＰＵ１１は逆に色補正の設定ボックス３２をオンとする。この場合、図１に示す如く切り替え回路１９はＹＵＶ信号を変換回路１１０側でなく、補正回路１１２側へ出力する。そして信号は、変換回路１１０を経ることなく、すなわちインターレース方式のままスケーラ１１３を経て液晶パネル１４へ出力される。図３において設定ボタン３３を入力部１３から操作することにより設定した項目は、メモリ１１４に記憶される。そして、ＣＰＵ１１は入力端子５からＹＵＶ信号が入力された場合、メモリ１１４から設定項目を読み出し、切り替え回路１９を上述の如く制御する。
【００２９】
図１において、切り替え回路１９から出力されたＹＵＶ信号は変換回路１１０においてインターレース方式からプログレッシブ方式へ変換される。なお、変換回路１１０は、２・３プルダウン回路または２・２プルダウン回路等が用いられる。また、モード判別部１７において入力信号がプログレッシブ方式であると判断された場合は、変換回路１１０はプログレッシブ変換を実行しない。変換回路１１０から出力される信号は、ＹＵＶ信号をＲＧＢ信号へ変換する図示しない信号変換回路によりＲＧＢ信号へ変換された後スケーラ１１３へ出力される。スケーラ１１３は、各種の映像信号のフォーマットを液晶パネル１４で表示することが可能な画素数に変換する回路であり、ピクセルコンバータまたは解像度変換ＬＳＩ等とも呼ばれる。
【００３０】
切り替え回路１９は、設定によりＹＵＶ信号を補正回路１１２側へ出力するよう設定されている場合、入力されたＹＵＶ信号を信号変換回路１１１へ出力する。信号変換回路１１１は入力されたＹＵＶ信号をＲＧＢ信号へ変換する回路であり、変換後のＲＧＢ信号を補正回路１１２へ出力する。補正回路１１２はメモリ１１４に記憶された設定値に従い色の補正を行った上でＲＧＢ信号をスケーラ１１３へ出力する。Ａ／Ｄ変換部１５から切り替え回路１９へ入力されたＲＧＢ信号は補正回路１１２へそのまま出力され、補正回路１１２による色補正が行われた後、スケーラ１１３へ出力される。
【００３１】
以上のハードウェア構成において信号処理の手順を、フローチャートを用いて説明する。図４は切り替え回路１９に対するモード設定処理の手順を示すフローチャートである。ユーザは映像信号入力部１２を構成する各入力端子に対する設定を行う場合、入力部１３を操作して図３に示す設定画面を表示させる。ＣＰＵ１１は入力部１３から設定画面の表示要求を受け付ける（ステップＳ４１）。ＣＰＵ１１は該要求に応じてメモリ１１４から設定画面を読み出し、液晶パネル１４へ表示する（ステップＳ４２）。この設定画面においてＣＰＵ１１は入力部１３からから、変換回路１１０へのＹＵＶ信号の非入力設定を受け付けたか否か、すなわち、図３の画面においてプログレッシブ変換をオフとする設定を受け付けたか否かを判断する（ステップＳ４３）。
【００３２】
ＣＰＵ１１は変換回路１１０へのＹＵＶ信号の非入力設定を受け付けた場合、すなわちプログレッシブ変換がオフと設定された場合（ステップＳ４３でＹＥＳ）、ＹＵＶ信号を補正回路１１２へ入力する設定、すなわち設定画面において色補正の設定をオンとする（ステップＳ４４）。ＣＰＵ１１はメモリ１１４に、変換回路１１０非入力・補正回路１１２入力とする設定を補正モードとして入力端子に対応付けて記憶する（ステップＳ４５）。一方、変換回路１１０へのＹＵＶ信号の非入力設定を受け付けていない場合、すなわちプログレッシブ変換の設定がオンの場合（ステップＳ４３でＮＯ）、変換回路１１０へのＹＵＶ信号を入力する設定、すなわちプログレッシブ変換の設定をオンにすると共に色補正の設定をオフとする（ステップＳ４６）。ＣＰＵ１１は変換回路１１０入力・補正回路１１２非入力とする設定を変換モードとしてメモリ１１４に入力端子に対応付けて記憶する（ステップＳ４７）。
【００３３】
図５は切り替え回路１９の切り替え手順を示すフローチャートである。ＣＰＵ１１は映像信号入力部１２から入力される信号の入力端子を判別し（ステップＳ５１）、入力端子に対応する設定モードをメモリ１１４から読み出す（ステップＳ５２）。ＣＰＵ１１は設定モードに応じて切り替え回路を補正モードまたは変換モードへ移行するよう制御する（ステップＳ５３）。切り替え回路１９はＹＵＶ信号が入力されたか否かを判断する（ステップＳ５４）。ＹＵＶ信号が入力されたと判断した場合（ステップＳ５４でＹＥＳ）、現在補正モードであるか否かを判断する（ステップＳ５５）。
【００３４】
切り替え回路１９は補正モードであると判断した場合（ステップＳ５５でＹＥＳ）、ＹＵＶ信号を信号変換回路１１１へ出力する（ステップＳ５６）。信号変換回路１１１は入力されたＹＵＶ信号をＲＧＢ信号へ変換し（ステップＳ５７）。変換後のＲＧＢ信号を補正回路１１２へ出力する（ステップＳ５８）。ステップＳ５４においてＹＵＶ信号が入力されない場合（ステップＳ５４でＮＯ）、すなわちＲＧＢ信号が入力された場合、切り替え回路１９は入力されたＲＧＢ信号を補正回路１１２へ出力する（ステップＳ５８）。補正回路１１２はメモリ１１４に記憶された設定に従い色補正を行い補正後のＲＧＢ信号をスケーラ１１３へ出力する（ステップＳ５１０）。
【００３５】
ステップＳ５５において、補正モードでないと判断された場合（ステップＳ５５でＮＯ）、切り替え回路１９は変換モードであるとしてＹＵＶ信号を変換回路１１０へ出力する（ステップＳ５９）。変換回路１１０にてプログレッシブ変換された信号はＲＧＢ信号へ変換された後スケーラ１１３へ出力される（ステップＳ５１０）。スケーラ１１３は映像信号に応じて画素の変換処理を行った後、ＲＧＢ信号を液晶パネル１４へ出力する（ステップＳ５１１）。以上の如くユーザの選択により、プログレッシブ変換を行う選択がなされている場合は、変換回路１１０へ信号が出力されるので、ちらつきのない画像が表示される。またユーザの選択により色補正を行う選択がなされた場合、信号が補正回路１１２へ出力され、ユーザ好みの色調にて設定された画像が表示される。
【図面の簡単な説明】
【００３６】
【図１】本発明に係る映像信号処理装置のハードウェア構成を示すブロック図である。
【図２】補正画面のイメージを示す説明図である。
【図３】設定画面のイメージを示す説明図である。
【図４】切り替え回路に対するモード設定処理の手順を示すフローチャートである。
【図５】切り替え回路の切り替え手順を示すフローチャートである。
【符号の説明】
【００３７】
１      映像信号処理装置
１１    ＣＰＵ
１２    映像信号入力部
１３    入力部
１４    液晶パネル（表示装置）
１９    切り替え回路
１１２  補正回路
１１１  信号変換回路
１１０  変換回路
１１３  スケーラ
【図１】
0004693652.tif 000002
【図２】
0004693652.tif 000003
【図３】
0004693652.tif 000004
【図４】
0004693652.tif 000005
【図５】
0004693652.tif 000006